(57)【特許請求の範囲】
【請求項１】
１対の側枠杆と、該側枠杆の上端部同士を連結する上枠杆とを有する背フレームを備える椅子の背凭れに対するオプション部材の取付け構造であって、
前記背凭れにおける上枠杆の背面に、後方に突出する突部を有する受け部材を、前部上面が前記上枠杆の下面に、かつ前部上面の後方より起立する起立部の前面が前記上枠杆の背面に当接するようにして取り付け、この受け部材における前記突部に、前記オプション部材を保持する保持部材を取り付けたことを特徴とする椅子の背凭れへのオプション部材の取付け構造。
【請求項２】
受け部材における突部の上面に、上方に向かって開口する受け孔を設け、この受け孔に、保持部材の前部下面に設けた下方を向く差し込み部を嵌合することにより、受け部材に保持部材を取り付けた請求項１記載の背凭れへのオプション部材の取付構造。
【請求項３】
受け部材における突部の上面に、上方に向かって突出する突部を設け、この突部を、保持部材の下面に設けた嵌合凹部に嵌合した請求項１または２記載の背凭れへのオプション部材の取付構造。
【請求項４】
受け部材の起立部を上枠杆の背面に、前後方向を向く固定ねじをもって固着し、かつ保持部材を前記受け部材の突部に、上下方向を向く固定ねじをもって固着した請求項１〜３項のいずれかに記載の椅子の背凭れへのオプション部材の取付け構造。
【発明の詳細な説明】
【技術分野】
【０００１】
本発明は、椅子の背凭れへのオプション部材の取付構造に関する。
【背景技術】
【０００２】
椅子の背凭れに、ハンガーやヘッドレスト等のオプション部材を取り付ける取付構造として、例えば、背凭れの上部後面に設けた後フレームの後面に、ハンガーを支持する左右１対の支持杆を当接した状態で、後フレームと両支持杆とを、左右方向を向く板状の取付部材とねじ座片とによって前後から挟み、取付部材とねじ座片とをねじにより締結したものがある(例えば特許文献１参照)。
【０００３】
また、背凭れの後部に取付けたブロック状のベース部と、ベース部の後方に隙間を空けて取付けた押さえ板との間に、ハンガー支柱を上下移動可能に挿入するとともに、ベース部と押え板とをカバーによって後方から覆い、ハンガー支柱を、ベース部から後方に弾発的に突出する係止突部と、押さえ板の丸孔から前方に突出するカバーの突部とによって挟持したものがある(例えば特許文献２参照)。
【０００４】
さらに、背凭れにおける枠部材の上枠杆に溝を設け、この溝に、本体取付部の対向部が嵌合するようにして、本体取付部と挾持片とによって、背枠の上枠部を上下から挟み、それらをねじ止めすることにより、オプション部材であるヘッドレストを、背凭れに固定するようにしたものや(例えば特許文献３参照)、背凭れにおける枠部材の上枠杆の下面に、懸吊部材を介してハンガーを吊支したもの(例えば特許文献４参照)等がある。
【先行技術文献】
【特許文献】
【０００５】
【特許文献１】特開２００６−１１００１３号公報
【特許文献２】特開２００４−１７４１４５号公報
【特許文献３】特開２００８−１０４５２１号公報
【特許文献４】特開２０１１−０４５５７２号公報
【発明の概要】
【発明が解決しようとする課題】
【０００６】
特許文献１および２に記載されているものにおいては、オプション部材を背凭れに取付けるときに、オプション部材を、背凭れの上枠杆に当接させた状態で、手で保持して、取付け作業をしなければならないため、作業が面倒で工数が増大する。
【０００７】
特許文献３に記載されているものにおいては、背凭れにおける枠部材の上枠杆に溝を設けなければならないため、背凭れにおける枠部材の形状が、オプション部材の取付けのために制限されるだけでなく、本体取付部と挾持片とによって、背枠の上枠部を上下から挟んだ状態で、それらを保持するものと、それらをねじ止めする者との二人の作業者を必要とし、特許文献１および２のものと同様に、取付け作業が面倒で工数が増大する。
また、オプション部材の取り付け完了後は、本体取付部と挾持片とが枠部材よりも前方に突出することもあり、その大きさによっては着座者の背中に当たるおそれがある。
【０００８】
特許文献４のものにおいては、ハンガーが、背凭れの上枠杆より下方に位置するため、ハンガーへの衣服の着脱がしづらく、またヘッドレストのように背凭れの上方に配設するオプション部材等の取付けには適用できない。
【０００９】
本発明は、上記問題点に鑑みてなされたもので、背凭れにオプション部材を簡単に取付けることができ、背凭れにおける枠部材の形状が、オプション部材の取付けのために制限されることがなく、かつオプション部材と背凭れとの結合部が着座者の妨げとなることがなく、さらに、オプション部材を、背凭れの背面における任意の位置に取り付けることができるようにした椅子の背凭れへのオプション部材の取付構造を提供することを目的としている。
【課題を解決するための手段】
【００１０】
本発明によると、上記課題は、次のようにして解決される。
(１)  １対の側枠杆と、該側枠杆の上端部同士を連結する上枠杆とを有する背フレームを備える椅子の背凭れに対するオプション部材の取付け構造において、前記背凭れにおける上枠杆の背面に、後方に突出する突部を有する受け部材を、前部上面が前記上枠杆の下面に、かつ前部上面の後方より起立する起立部の前面が前記上枠杆の背面に当接するようにして取り付け、この受け部材における前記突部に、前記オプション部材を保持する保持部材を取り付ける。
【００１１】
このような構成とすると、背凭れの背面に、受け部材を予め取り付けておき、その後、受け部材の突部に、予めオプション部材を保持させておいた保持部材を取り付けるか、または上記突部に保持部材を取り付けた後、保持部材にオプション部材を保持させることにより、オプション部材を、簡単に、手際よく、背凭れに取り付けることができ、作業効率を向上することができる。
また、どのような形状の背凭れにも、オプション部材を取り付けることができ、背凭れの形状が、オプション部材の取付けのために規制されることがなく、しかも、背凭れの背面に対するオプション部材の取付位置も制限されることがなく、任意の部位にオプション部材を取り付けることができる。
さらに、受け部材も保持部材も、ともに背凭れの背面側に取り付けられるので、背凭れの前方に突出することがなく、着座者の背中に当たるおそれがない。
また、背凭れと受け部材との接合部分が、外部に露呈し難くいので、体裁がよく、そのため、この接合部分の横幅を大として、接合面積を確保し、接合強度を高めるようにしても、外観を悪くすることがない。
さらに、背凭れにおける上枠杆の背面に、受け部材における前部上面が当接し、かつ上枠杆の背面に、受け部材における起立部の前面が当接した状態で、受け部材は背凭れの上枠杆に固着されるので、背凭れの上枠杆に対する受け部材の上下方向および前後方向の結合強度が大となり、オプション部材を安定よく保持することができる。
【００１２】
(２)  上記(１)項において、受け部材における突部の上面に、上方に向かって開口する受け孔を設け、この受け孔に、保持部材の前部下面に設けた下方を向く差し込み部を嵌合することにより、受け部材に保持部材を取り付ける。
【００１３】
(３)  上記(１)または(２)項において、受け部材における突部の上面に、上方に向かって突出する突部を設け、この突部を、保持部材の下面に設けた嵌合凹部に嵌合する。
【００１４】
上記(２)項または(３)項のような構成とすると、保持部材を、受け部材における突部の上方より突部上に下降させるだけで、受け部材に簡単に結合させることができ、作業性をよくすることができる。
【００１５】
(４)  上記(１)〜(３)項のいずれかにおいて、受け部材の起立部を上枠杆の背面に、前後方向を向く固定ねじをもって固着し、かつ保持部材を前記受け部材の突部に、上下方向を向く固定ねじをもって固着する。
【００１６】
このような構成とすると、背凭れの後方の空間を利用して、受け部材を背凭れの取付部に、後方から楽な姿勢でねじ止め作業することができ、しかも、その後に、受け部材の突部の上下の空間を利用して、保持部材を受け部材の突部に、楽な姿勢でねじ止め作業することができ、オプション部材の取付け作業性を高めることができる。
【発明の効果】
【００１７】
本発明によると、背凭れにオプション部材を簡単に取付けることができ、背凭れにおける枠部材の形状が、オプション部材の取付けのために規制されることがなく、かつオプション部材と背凭れとの結合部が着座者の妨げとなることがなく、さらに、オプション部材を、背凭れの背面における任意の位置に取り付けることができるようにした椅子の背凭れへのオプション部材の取付構造を提供することができる。
【図面の簡単な説明】
【００１８】
【図１】本発明の一実施形態を備える椅子の側面図である。
【図２】椅子の背凭れを、右斜め後方から見た斜視図である。
【図３】図２のIII−III線拡大縦断側面図である。
【図４】受け部材および保持部材を右斜め前方から見た分解斜視図である。
【図５】図２のV−V線拡大縦断端面図である。
【図６】図３のVI−VI線横断平面図である。
【図７】背凭れに受け部材、保持部材およびオプション部材を取付ける手順を説明するための分解斜視図である。
【図８】図６のVIII−VIII線縦断端面図である。
【図９】図２のIX−IX線拡大縦断端面図である。
【発明を実施するための形態】
【００１９】
以下、本発明の一実施形態を、図面に基づいて説明する。なお、各図において、左右は正面視において言う。
図１は、本発明の一実施形態を備える椅子の側面図である。
この椅子は、先端部にキャスタ１を備える放射状をなす５本の脚杆２を有する脚体３と、脚体３の中央に立設され、内部にガススプリング(図示略)が収容された伸縮式の脚柱４と、脚柱４の上端に後端部が固着された前上方を向く支基５と、支基５の上方に支持された座６と、前端部が左右方向を向く軸７をもって支基５に枢着された側面視ほぼＬ字状の背凭れ支持フレーム８の後上部に支持された背凭れ９と、背凭れ９の後面における上部に設けられたオプション部材であるハンガー装置１０とを備えている。
【００２０】
なお、上記各構成要素のうち、背凭れ９およびハンガー装置１０以外のものは、本発明に直接関係しないので、それらの具体的な構成および詳細な説明は省略する。
【００２１】
図２に示すように、背凭れ９は、正面形がほぼ方形の枠体である硬質合成樹脂よりなる背フレーム１１と、この背フレーム１１の前面に張設した張材１２とを備えている。
張材１２は、メッシュ材、織布、帆布等により方形に形成され、その外周部は縫着、タッカー止め、接着、またはその他の止着手段をもって、背フレーム１１の前面を覆うように、背フレーム１１の外周縁に止着されている。
【００２２】
背フレーム１１は、上下方向の中央よりやや下方の部分が側面視において前方に突出するように緩やかにくの字状に屈曲する左右１対の側枠杆１３、１３と、その上端部同士を連結するとともに、左右方向の中央部が平面視において後方に突出するように緩やかに円弧状に湾曲する上枠杆１４と、両側枠杆１３、１３の下端部同士を連結し、かつ下方に向かって突出するように湾曲する下枠杆１５とを備えている。上枠杆１４は、背面に固定ねじ(図示略)をもって固着された上部補助枠材１４ａ(図３参照)を有している。
張材１２の上部は、上枠杆１４の前面から上面を経た後、上部補助枠材１４ａの上面、後面、下面および前面に順次巻き付けられて、その端末が、上部補助枠材１４ａの前面と上枠杆１４の後面との間に挟まれるようにして、背フレーム１１に取り付けられている。
【００２３】
背フレーム１１における下枠杆１５には、背凭れ支持フレーム８に連結される左右１対の前向き片１６が設けられている。
【００２４】
次に、オプション部材であるハンガー装置１０について説明する。オプション部材としては、ハンガー装置１０のほかに、ヘッドレスト等の適宜のものを選択することができる。
ハンガー装置１０は、受け部材１７および保持部材１８により、背フレーム１１の上枠杆１４に取り付けられている。
ハンガー装置１０は、図２および図３に示すように、左右方向を向くハンガー本体１９と、このハンガー本体１９から下方に延設された左右１対の支持杆２０と、左右１対の支持杆２０の下端部同士を連結する連結杆２１とを備えている。
ハンガー装置１０における左右１対の支持杆２０は、保持部材１８に、上下位置調節可能として取付けられている。
【００２５】
ハンガー本体１９は、背広等が掛けられる程度の長さに左右方向に延び、正面視において、中央部が下向きに緩やかに湾曲し、かつ両側部が緩やかに下向き傾斜する形状をなしている。
【００２６】
左右１対の支持杆２０は、それぞれ上下方向の縦杆部２０ａと、縦杆部２０ａの上端から上方に向かうに従って左右方向に互いに離間する湾曲部２０ｂとからなり、縦杆部２０ａの下端部が、下方に向かって突出するように緩やかに湾曲する連結杆２１によって連結されている。
【００２７】
図３および図４に示すように、受け部材１７は、背フレーム１１の上枠杆１４より後方に突出する突部１７ａと、突部１７ａの前面下部より前方に突出し、かつ上枠杆１４の下方に位置する前部１７ｂとからなっている。
【００２８】
受け部材１７における突部１７ａと前部１７ｂとの段差部２２は、背フレーム１１の上枠杆１４の後下端の角部に嵌合されるようになっている。
受け部材１７における前部１７ｂの上面には、上方に向かって開口する複数の肉抜き孔２３と、各肉抜き孔２３を区画する前後方向を向く複数のリブ２４とが、左右方向に並べて設けられている。
【００２９】
さらに、受け部材１７における前部１７ｂの上面には、上方に向かって開口し、かつ前部１７ｂの両側壁と各リブ２４とを貫通するように左右方向に連続する凹溝２５と、左右１対の上向き突部２６、２６とが設けられている。
図３および図５に示すように、受け部材１７を、背フレーム１１におけるオプション部材の取付部である上枠杆１４における正規の取付位置に取り付けたとき、受け部材１７における上記凹溝２５が、上枠杆１４の下面後縁に設けられた下向き突条１４ｂに嵌合し、かつ上向き突部２６が、上枠杆１４の下面前部に設けられた左右１対の上向き凹部１４ｃに嵌合するようになっている。
【００３０】
受け部材１７における前部１７ｂの上面の後方より起立する、突部１７ａの前壁をなす起立部２７の上部には、前後方向を向く左右１対のねじ挿通孔２８が設けられている。
起立部２７の後面における左右のねじ挿通孔２８、２８の間には、厚肉部２７ａが形成され、この厚肉部２７ａの上端面には、上方に向かって開口する左右方向に長い有底の受け孔２９が設けられている。
厚肉部２７ａの後面には、受け孔２９に連通する上下方向を向くスリット３０が設けられている。
【００３１】
受け部材１７における突部１７ａは、前壁をなす上記起立部２７と、その下端から後上方に向かって傾斜する底壁３１と、両側壁３２、３２とを備え、上方と後方とに開口するほぼ中空箱状をなしている。
【００３２】
各側壁３２の後部内面に形成した厚肉部３２ａの後面には、後方と上方とに向かって開口し、かつ溝の深さが下方に向かって漸次浅くなる上下方向の受け溝３３が設けられている。
【００３３】
底壁３１の上面における後端部には、上方に向かって突出する左右方向に長い突部３４が設けられ、同じく受け孔３０より後方には、上下方向を向く左右１対のねじ挿通孔３５が設けられている。
この受け部材１７の成形型の抜き方向は、上下方向のみでよいので、製造が容易である。
【００３４】
保持部材１８は、平面形状が受け部材１７の突部１７ａの上面を覆うほぼ長方形の上板部３６と、上板部３６の後端部から垂下する後壁部３７(図３参照)と、上板部３６の前部下面から垂下する左右方向を向く板状の差し込み部３８とを備えている。差し込み部３８の後面における左右方向の中央部と、後壁部３７との間には、前後方向を向く縦形のリブ３９(図６参照)が設けられている。
【００３５】
上板部３６の下面には、図９に示すように、差し込み部３８より後方に位置する左右１対の円筒状のボス４０(図６参照)が設けられ、各ボス４０内には、ねじ孔４１がそれぞれ設けられている。ボス４０と後壁部３７との間には、リブ４２が設けられている。このリブ４２およびリブ３９の下端後部には、受け部材１７における上向きの突部３４と補形をなす上向きの嵌合凹部４２ａ、３９ａが設けられている。
【００３６】
図４に示すように、後壁部３７の左右両端部には、前方に向かって突出する厚肉部４３(図６参照)が設けられている。この厚肉部４３には、外側方に向かって開口する上下方向を向く嵌合溝４４が、上板部３６を貫通するようにして設けられている。後述するように、この嵌合溝４４には、ハンガー装置１０の支持杆２０の内面に設けられた上下方向を向く突条２０ｃが嵌合される。
【００３７】
保持部材１８における嵌合溝４４の外側面への開口の前縁には、上下方向の中央部が前方に向かって凹入するくの字状の係合凹溝４５を有する後向き突部４６が設けられている。後向き突部４６の前端部は、厚肉部４３より前方に突出している。
【００３８】
図５に示すように、嵌合溝４４に嵌合されるハンガー装置１０における支持杆２０の内側面に設けられた上下方向の突条２０ｃの前面には、嵌合溝４４におけるくの字状の係合凹溝４５と補形をなす複数の係合部４７を上下方向に連続させて形成した上下方向を向く波形部４８が設けられている。
【００３９】
図６に示すように、各支持杆２０の突条２０ｃの前面には、波形部４８を底面とする、前方に向かって開口する上下方向を向く嵌合凹溝４９が設けられている。この嵌合凹溝４９には、保持部材１８におけるくの字状の係合凹溝４５を有する後向き突部４６が、波形部４８の係合部４７と係合するようにして嵌合されている。
後向き突部４６の前端部は、受け部材１７の左右の側壁３２における受け溝３３に嵌合されている。
【００４０】
ハンガー装置１０は、係合凹溝４５と係合する波形部４８の複数の係合部４７を変化させることによって、保持部材１８に対して上下方向の位置を調節することができる。この保持部材１８に対するハンガー装置１０の上下位置調節については後述する。
【００４１】
ハンガー装置１０を、背凭れ９に取付けるには、図７に示すように、受け部材１７を、背凭れ９の上枠杆１４に後方から接近させ、図３および図５に示すように、受け部材１７における凹溝２５が、上枠杆１４の下面後縁における下向き突条１４ｂに嵌合し、かつ上向き突部２６が、上枠杆１４の下面前部における左右１対の上向き凹部１４ｃに嵌合するようにして、受け部材１７の前部１７ｂの上面を上枠杆１４の下面に当接し、かつ受け部材１７の起立部２７の前面を上部補助部材１４ａの取付部の後面に当接させた状態で、図６および図８に示すように、起立部２７におけるねじ挿通孔２８に固定ねじ５０を挿入し、それを上部補助枠材１４ａの後面における対応する位置に設けたねじ孔５１に螺合して締め付ける。
【００４２】
保持部材１８を、受け部材１７に取付けるには、図７に示すように、ハンガー本体１８が上側、連結杆２１が下側となるようにして、ハンガー装置１０の左右１対の支持杆２０の各突条２０ｃを、予め保持部材１８における左右１対の嵌合溝４４に嵌合することにより、ハンガー装置１０を保持部材１８に取付けておく。
このときの保持部材１８に対するハンガー装置１０の取付位置は、波形部４８の複数の係合部４７のいずれを係合凹溝４５と係合させるかによって定まる。
その相対位置を変化させるには、後向き突部４６を前方に弾性変形させつつ、左右１対の支持杆２０、２０を保持部材１８に対して上下方向に移動させて行う。
【００４３】
このようにして、ハンガー装置１０を所望の上下位置に装着しておいた保持部材１８を、受け部材１７の上方から降下させて、図３および図９に示すように、保持部材１８における下向きの差し込み部３８を、受け部材１７における受け孔２９に嵌合し、かつ受け部材１７の後部における上向きの突部３４が、保持部材１８における上向きの嵌合凹部４２ａ、３９ａに嵌合するようにして、保持部材１８を受け部材１７の突部１７ａ上に載置する。
【００４４】
次に、この状態で、図９に示すように、受け部材１７の下方に向かって開口するねじ挿通孔３５から固定ねじ５２を上向きに挿入し、それを保持部材１８のねじ孔４１に螺合して締め付ける。
【００４５】
このようにして背凭れ９に取り付けられたハンガー装置１０は、受け部材１７における凹溝２５が、上枠杆１４の下面後縁における下向き突条１４ｂに嵌合し、かつ上向き突部２６が、上枠杆１４の下面前部における左右１対の上向き凹部１４ｃに嵌合するようにして、受け部材１７の前部１７ｂの上面を上枠杆１４の下面に当接し、かつ受け部材１７の起立部２７の前面を上部補助部材１４ａの取付部の後面に当接させた状態で、起立部２７が上部補助枠材１４ａの後面にねじ止めされていることにより、上枠杆１４に対する受け部材１７の取付強度が大であり、特に、受け部材１７の突部１７ａにかかる下向きの荷重に対して、強力に支持することができる。
【００４６】
また、この装着状態においては、受け溝３３における前上向き傾斜する底面と、後向き突部４６の前面とが当接しており、後向き突部４６は、前方に弾性変形スことができず、そのため、係合凹溝４５と係合する波形部４８の複数の係合部４７を変化させることはできない。したがって、支持杆２０は保持部材１８に対して上下方向に移動することなく、ハンガー装置１０は、装着時の高さ位置に強力に保持される。
【００４７】
ハンガー装置１０の上下位置調節を行うには、固定ねじ５２を緩めて、保持部材１８を受け部材１７より上方に移動させて、後向き突部４６の前面を、受け溝３３における前上向き傾斜する底面から離間させて、それらの間に後向き突部４６の前方への弾性撓曲許容空間を形成し、その状態で、後向き突部４６を前方に弾性変形させつつ、左右１対の支持杆２０、２０を保持部材１８に対して上下方向に移動し、後向き突部４６の係合凹溝４５と係合する波形部４８の複数の係合部４７を１個ずつ変化させる。
ハンガー装置１０を所望の高さとした後、固定ねじ５２を締め付けて、保持部材１８を受け部材１７の正規の位置に固定すると、ハンガー装置１０は、上下方向に移動することなく、保持部材１８に保持される。
【００４８】
なお、保持部材１８を受け部材１７の正規の位置に固定した状態で、後向き突部４６の前方に、弾性撓曲許容空間を形成しておくことにより、ハンガー装置１０を、装着状態のままで、上下位置調節できるようにすることができる。
【００４９】
上記のように、背凭れ９の背面に、受け部材１７を予め取り付けておき、その後、受け部材１７の突部１７ａに、予めハンガー装置１０を保持させておいた保持部材１８を取り付けるか、または上記突部１７ａに保持部材１８を取り付けた後、保持部材１８にハンガー装置１０を保持させると、ハンガー装置１０を、簡単に、手際よく、背凭れ９に取り付けることができ、作業効率を向上することができる。
【００５０】
さらに、どのような形状の背凭れ９にも、ハンガー装置１０等のオプション部材を取り付けることができ、背凭れ９の形状が、オプション部材の取付けのために制限されることがなく、しかも、背凭れ９の背面に対するオプション部材の取付位置も制限されることがなく、任意の部位にオプション部材を取り付けることができる。
【００５１】
しかも、受け部材１７も保持部材１８も、ともに背凭れ９の背面側に取り付けられるので、背凭れ９の前方に突出することがなく、着座者の妨げとなることがない。
【００５２】
本発明は、その範囲を逸脱しない範囲で、例えば次のような異なる形態での実施が可能である。
(１)  背凭れ９に受け部材１７を取付け、受け部材１７に保持部材１８を取付けた後、保持部材１８にハンガー装置１０を取付ける。
(２)  ハンガー装置１０を保持部材１８に固着する。
(３)  椅子の背凭れ９を、背枠と、背枠内に設けた背板とを有するものとし、背枠の上枠杆に、受け部材１７および保持部材１８を介してハンガー装置１０を取付ける。
【符号の説明】
【００５３】
１  キャスタ
２  脚杆
３  脚体
４  脚柱
５  支基
６  座
７  軸
８  背凭れ支持フレーム
９  背凭れ
１０  ハンガー装置(オプション部材)
１１  背フレーム  
１２  張材
１３  側枠杆
１４  上枠杆
１４ａ上部補助枠材
１４ｂ下向き突条
１４ｃ上向き凹部
１５  下枠杆
１６  前向き片
１７  受け部材
１７ａ突部
１７ｂ前部
１８  保持部材
１９  ハンガー本体
２０  支持杆
２０ａ縦杆部
２０ｂ湾曲部
２０ｃ突条
２１  連結杆
２２  段差部
２３  肉抜き孔
２４  リブ
２５  凹溝
２６  上向き突部
２７  起立部
２７ａ厚肉部
２８  ねじ挿通孔
２９  受け孔
３０  スリット
３１  後壁
３２  側壁
３２ａ厚肉部
３３  受け溝
３４  突部
３５  ねじ挿通孔
３６  上板部
３７  後壁部
３８  差し込み部
３９  リブ
３９ａ嵌合凹部
４０  ボス
４１  ねじ孔
４２  リブ
４２ａ嵌合凹部
４３  厚肉部
４４  嵌合溝
４５  係合凹溝
４６  後向き突部
４７  係合部
４８  波形部
４９  嵌合凹溝
５０  固定ねじ
５１  ねじ孔
５２  固定ねじ
【図１】
0005981148.tif 000002
【図２】
0005981148.tif 000003
【図３】
0005981148.tif 000004
【図４】
0005981148.tif 000005
【図５】
0005981148.tif 000006
【図６】
0005981148.tif 000007
【図７】
0005981148.tif 000008
【図８】
0005981148.tif 000009
【図９】
0005981148.tif 000010